(57)【要約】【課題】プラント装置内のデータを収集するデータ収集システムでは、メンテナンスの際、複数のデータ収集装置のデータ収集動作以外の時間帯の省エネルギー化は制御しておらず、動作時間以外の時間帯も電池から電力が供給されることとなり、電池交換サイクルを早めてしまう。【解決手段】データ収集作業時間中を除きに、プラント装置内に設置されるデータ収集装置へ省エネルギー状態へ移行させることにより、電力の使用の無駄を省き、電池の交換サイクルの長期化を図る。【選択図】図１
2011210200.tif 000002
【特許請求の範囲】
【請求項１】
装置内に電力を供給する電池手段と、
外部機器との間で無線通信を行う無線手段と、
前記外部機器から前記無線手段を介してデータの収集を開始させる収集開始指令を受けた場合に、前記装置内のデータを計測する複数の計測手段と、
前記複数の計測手段で計測した前記データを収集して前記無線手段を介して前記外部機器へ送信し、前記外部装置から前記無線手段を介して省電力指令を受けた場合に、前記電池手段から前記計測部および前記無線手段への電力供給を所定時間停止する制御手段と、
を備えることを特徴とするデータ収集装置。
【請求項２】
複数のデータ収集装置と、前記複数のデータ収集装置との間で無線通信する複数の中継装置と、前記複数の中継装置との間でネットワーク通信する中央管理装置とを有するデータ収集システムにおいて、
前記各データ収集装置は、
装置内に電力を供給する電池手段と、
対応する前記中継装置から前記無線通信によってデータの収集を開始させる収集開始指令を受けた場合に、前記装置内のデータの収集を行う複数の計測手段と、
前記複数の計測手段で計測した前記データを収集して前記無線通信によって前記対応する中継装置へ装置し、前記対応する中継装置から前記無線通信によって省電力指令を受けた場合に前記電池手段から前記計測部および前記無線通信の通信手段への電力供給を所定時間停止する第１制御手段と、
を備え、
前記各中継装置は、
対応する前記データ収集装置から受信した前記データを格納する記憶手段と、
前記記憶手段に前記データを格納した後に、前記対応するデータ収集装置に対して前記省電力指令を所定時間毎に送信すると共に前記中央管理装置に収集完了通知を送信し、前記中央管理装置から転送開始指令を受信した場合に前記記憶手段に格納された前記データを前記中央管理装置に送信する第２制御手段と、
を備え、
前記中央管理装置は、
前記各中継装置から前記収集完了通知を受信した場合に前記転送開始指令を前記各中継装置へ送信し、その指令に応答して前記各中継装置から送信された前記データを受信する第３制御手段と、
を備えることを特徴とするデータ収集システム。
【請求項３】
装置内に電力を供給する電池手段と、
外部機器との間で無線通信を行う無線手段と、
前記外部機器から前記無線手段を介してデータの収集を開始させる収集開始指令を受けた場合に、前記装置内のデータの計測する複数の計測手段と、
前記複数の計測手段で計測した前記データを収集して前記無線手段を介して前記外部機器へ送信し、前記外部機器から前記収集開始指令を前記無線手段を介して受信した場合に前記外部機器からデータ収集を終了させる収集終了指令を受信するまで、前記電池手段から前記計測部および前記無線手段への電力供給を所定時間停止し、前記所定時間経過後に前記計測手段によりデータの収集を行う制御手段と、
を備えることを特徴とするデータ収集装置。
【請求項４】
複数のデータ収集装置と、前記複数のデータ収集装置との間で無線通信する複数の中継装置と、前記複数の中継装置との間でネットワーク通信する中央管理装置とを有するデータ収集システムにおいて、
前記各データ収集装置は、
装置内に電力を供給する電池手段と、
対応する中継装置から前記無線通信によってデータの収集を開始させる収集開始指令を受けた場合に、前記装置内のデータの収集を行う複数の計測手段と、
前記対応する中継装置から前記収集開始指令を前記無線通信によって受信した場合に収集開始応答を前記対応する中継装置へ送信すると共に、前記対応する中継装置からデータ収集を終了させる収集終了指令を受信するまで、前記電池手段から前記計測部および前記無線手段への電力供給を所定時間停止し、前記所定時間経過後に前記計測手段にデータの収集を行う第１制御手段と、
を備え、
前記各中継装置は、
前記対応するデータ収集装置から受信した前記データを格納する記憶手段と、
前記対応するデータ収集装置から前記収集開始応答を受信した場合に前記所定時間経過後に前記収集終了指令を前記対応する前記データ収集装置に送信し、その指令に応答して前記対応する前記データ収集装置から受信した前記データを前記記憶手段に記憶した後、前記中央管理装置へ収集完了通知を送信する第２制御手段と、
を備え、
前記中央管理装置は、
前記各中継装置から前記収集完了通知を受信した場合に前記転送開始指令を前記各中継装置へ送信し、その指令に応答して前記各中継装置から送信された前記データを受信する第３制御手段と、
を備えることを特徴とするデータ収集システム。
【発明の詳細な説明】
【技術分野】
【０００１】
本発明は、プラント装置内の動作音等のデータを収集するデータ収集システムに関する。
【背景技術】
【０００２】
エスカレータ等のプラント装置では、長期間の使用に伴い、回転部や稼働部が摩耗・変形してしまう。回転部や稼働部の摩耗・変形は、プラント装置の稼働時に発生する音や振動を変化させることが知られている。
【０００３】
これらプラント装置内の回転部や稼働部の音や振動の変化の状態データを定期的に収集し、異常状態に達する前にメンテナンスを促すデータ収集システムが開発されている（例えば、特許文献１参照）。
【先行技術文献】
【特許文献】
【０００４】
【特許文献１】特開２００９−１２０３６号公報
【発明の概要】
【発明が解決しようとする課題】
【０００５】
プラント装置内に設置されるデータ収集装置は、有線ケーブル等を利用しての電力供給が難しい場所に設置される場合が多い。したがって、電源配線が困難な場所に設置されるデータ収集装置では、有限の電力供給源である電池を電源として使用している。
【０００６】
しかしながら、従来のデータ収集システムでは、電池の電力供給の省エネルギー化対策が適切に行われていない。例えば、データ収集装置がデータを計測して出力動作を行っていない状態にあるにも関わらず、電力供給を行っている。このため、電池交換サイクルを早めてしまう欠点がある。
【０００７】
本発明は、上記の事情に鑑みてなされたもので、電池交換サイクルを長期化させるための適切な省電力化を実現するデータ収集システムを提供することを目的とする。
【課題を解決するための手段】
【０００８】
上記目的を達成するために、本発明は、
複数のデータ収集装置と、前記複数のデータ収集装置との間で無線通信する複数の中継装置と、前記複数の中継装置との間でネットワーク通信する中央管理装置とを有するデータ収集システムにおいて、
前記各データ収集装置は、
装置内に電力を供給する電池手段と、
対応する前記中継装置から前記無線通信によってデータの収集を開始させる収集開始指令を受けた場合に、前記装置内のデータの収集を行う複数の計測手段と、
前記複数の計測手段で計測した前記データを収集して前記無線通信によって前記対応する中継装置へ装置し、前記対応する中継装置から前記無線通信によって省電力指令を受けた場合に前記電池手段から前記計測部および前記無線通信の通信手段への電力供給を所定時間停止する第１制御手段と、
を備え、
前記各中継装置は、
対応する前記データ収集装置から受信した前記データを格納する記憶手段と、
前記記憶手段に前記データを格納した後に、前記対応するデータ収集装置に対して前記省電力指令を所定時間毎に送信すると共に前記中央管理装置に収集完了通知を送信し、前記中央管理装置から転送開始指令を受信した場合に前記記憶手段に格納された前記データを前記中央管理装置に送信する第２制御手段と、
を備え、
前記中央管理装置は、
前記各中継装置から前記収集完了通知を受信した場合に前記転送開始指令を前記各中継装置へ送信し、その指令に応答して前記各中継装置から送信された前記データを受信する第３制御手段と、
を備えることを特徴とする。
【発明の効果】
【０００９】
本発明によれば、適切にデータ収集装置を省電力モードとする時間管理を行うことができるようになり、電池の寿命を長く維持することができる。このため、電池交換サイクルの長期化が可能になる。
【図面の簡単な説明】
【００１０】
【図１】本発明の第１の実施形態に係るデータ収集システムの構成を示す図。
【図２】本発明の第１の実施形態に係る中継装置の内部構成を示す図。
【図３】本発明の第１の実施形態に係るデータ収集装置の内部構成を示す図。
【図４】本発明の第１の実施形態の動作を示すシーケンス図。
【図５】本発明の第２の実施形態の動作を示すシーケンス図。
【発明を実施するための形態】
【００１１】
以下、本発明の第１の実施形態の実施態様について図面を参照しながら説明する。
【００１２】
（第１の実施形態）
図１は、第１の実施形態に係るデータ収集システムの構成を示す図である。図２は、第１の実施形態に係る中継装置の内部構成を示す図である。図３は、第１の実施形態に係るデータ収集装置の内部構成を示す図である。
【００１３】
本実施形態に係るデータ収集システムは、図１に示すように、中央管理装置１と、ＬＡＮ２と、複数の中継装置３と、複数のデータ収集装置４を持つプラント装置１００から構成される。
【００１４】
中央管理装置１は、ＣＰＵ（Ｃｅｎｔｒａｌ  Ｐｒｏｃｅｓｓｉｎｇ  Ｕｎｉｔ）１ａ、ＬＡＮ−ＩＦ１ｂ、およびデータベース１ｃ等から構成されている。中央管理装置１には、各データ収集装置４から送られてきた動作音や振動数等のデータなどに基づいて表示を行う表示部を設けても良い。また、データ収集を行いたいときに、収集開始のコマンドを入力操作することができる外部インターフェースを設けてもよい。
【００１５】
ＣＰＵ１ａは、中央管理装置１の全体制御を行う制御装置であり、データ収集要求に関わる指令情報をＬＡＮ２を介して複数の中継装置３へ送信する。また、ＣＰＵ１ａは、各データ収集装置４から送られてきたデータとデータベース１ｃに記憶しているデータを比較して、異常診断等を行う機能を持つ。
【００１６】
ＬＡＮ−ＩＦ１ｂは、中央管理装置１をＬＡＮ２に接続するためのインターフェースである。データベース１ｃは、複数の中継装置３から受信（入力）したプラント装置１００の動作音や振動数等のデータ、傾斜角データ、およびプラント装置１００の正常時の動作音データ等を記憶している。データベース１ｃの記憶媒体としては、磁気ディスクや半導体メモリ等の各種記憶媒体を利用してよい。
【００１７】
ＬＡＮ２は、いわゆるローカルエリアネットワーク用の接続ケーブルであり、電子データの通信を行う。なお、本実施形態においては、いわゆる有線ＬＡＮとして記載しているが無線ＬＡＮ等を利用した無線通信に代替してもよい。
【００１８】
複数の中継装置３は、プラント装置１００内に設けられた複数のデータ収集装置４から送信されるプラント装置１００の動作音や振動数等の測定データを無線通信によって受信する。このため、各中継装置３には、１つ又は複数の無線ＩＦ（インターフェース）とＬＡＮ−ＩＦを備えている。各中継装置３の各無線ＩＦは、複数のデータ収集装置４の対応する無線ＩＦから同時にプラント装置１００の動作音等のデータを収集することができる。
【００１９】
複数のデータ収集装置４は、プラント装置１００の所定の箇所に複数台設置されている。例えば、プラント装置１００の可動部分及び固定部分に設置されている。これらのプラント装置１００の可動部分および固定部に設置された複数のデータ収集装置４は、同時に各設置場所で計測された動作音や振動数等を計測して収集することができる。複数のデータ収集装置４は、各中継装置３の無線ＩＦと対応する無線ＩＦ同士との間で無線通信を行うことができる。つまり、本実施形態の複数の中継装置３は、複数のデータ収集装置４を制御すると共に、データ収集の管理を行うものである。
【００２０】
プラント装置１００は、エスカレータ等の動作音、振動等を発する装置で、本実施形態におけるデータ収集の被対象機械である。なお、図１中では、プラント装置１００内に複数のデータ収集装置４があり、複数の中継装置３がプラント装置１００の外にあるように記載してあるが、複数の中継装置３および複数のデータ収集装置４がともにプラント装置１００内に設置されていても良い。
【００２１】
次に、図１を参照しながら、中央管理装置１の動作について説明する。
【００２２】
中央管理装置１は、定期的に又はデータ収集操作に応じて、データ収集要求などの指令情報をＬＡＮ−ＩＦ１ｂからＬＡＮ２を通じ、複数の中継装置３に送信する。各中継装置３の各無線ＩＦは、送られてきた指令情報に基づき対応する各データ収集装置４の各無線ＩＦに対し指令情報を伝達する。
【００２３】
各データ収集装置４は、内部の各無線ＩＦを通じて受信した指令情報に基づき計測動作するとともに、その測定結果を対応する各中継装置３に送り返す。測定結果とは、例えばプラント装置１００の所定の箇所で計測した動作音や振動数等のデータである。各中継装置３は、送られてきたデータを一時的に保存した後、ＬＡＮ２を通じ中央管理装置１に送信する。中央管理装置１は、送られてきた動作音や振動数等のデータなどをＬＡＮ−ＩＦ１ｂを通じて受信し、表示部等に表示する。また、中央管理装置１は、送られてきた動作音や振動数等のデータ分析による異常診断を行う。収集されたデータや分析診断結果等は、中央管理装置１の二次記憶装置であるデータベース１ｃに記憶される。
【００２４】
図２は、上述した各中継装置３の構成を示すブロック図である。中継装置３は、ＣＰＵ３１、ＬＡＮ−ＩＦ（インターフェース）３２、プログラムＲＯＭ（Ｒｅａｄ  Ｏｎｌｙ  Ｍｅｍｏｒｙ）３３、データ保管メモリ３４、ワークＲＡＭ（Ｒａｎｄｏｍ  ａｃｃｅｓｓ  ｍｅｍｏｒｙ）３５、リアルタイマ３６、複数の無線ＩＦ（インターフェース）３７等から構成されている。
【００２５】
ＣＰＵ３１は、プログラムＲＯＭ３３に記憶されているプログラムに従い動作する制御デバイスである。ＣＰＵ３１は、中継装置３の上記各構成要素の制御を司る。プログラムＲＯＭ３３は、中央管理装置１から送られてくる指令情報に従ってＣＰＵ３１が動作するプログラムが記憶されている。データ保管メモリ３４は、対応する各データ収集装置４から受信した動作音や振動数等のデータを記憶する。
【００２６】
ワークＲＡＭ３５は、各データ収集装置４から受信した動作音データを一時記憶する作業メモリ領域である。リアルタイマ３６は、中央管理装置１からの指令情報である時刻データの値を設定するタイマモジュールである。また、時刻をカウントし、このカウントした時刻により、各構成要素の同期をとるためにも使用することができる。複数の無線ＩＦ３７は、対応するデータ収集装置４の対応する複数の無線ＩＦとの間で無線通信を行う。
【００２７】
次に、図２を用いて中継装置３の動作を説明する。
【００２８】
ＣＰＵ３１は、ＬＡＮ−ＩＦ３２から送られてくる中央管理装置１からの指令情報に基づいて動作する。例えば、データ収集開始指令が送られてきた場合に、ＣＰＵ３１は複数の無線ＩＦ３７を通じて、管理しているデータ収集装置４に対しデータ収集開始指令を伝達する。また、ＣＰＵ３１は、無線ＩＦ３７を通じて、各データ収集装置４から収集・送信されたデータを受け取り、一旦ワークＲＡＭ３５に記憶する。収集されたデータは、同時に送られてくるデータ区切り用符号を用いて、必要な長さに分割してデータ保管メモリ３４に保存される。ＣＰＵ３１は、データ受け取り後、データ収集完了通知をＬＡＮ−ＩＦ３２を通じて中央管理装置１に送信する。
【００２９】
また、ＣＰＵ３１は、データ収集完了通知を中央管理装置１へ送信した後に、各データ収集装置４に対し省電力モードに移行させる「省電力指令」を無線ＩＦ３７を通じて一定時間間隔ごとに送出する。一定時間は、リアルタイマ３６でカウント管理されている。
【００３０】
その後、ＣＰＵ３１は、中央管理装置１からのデータ転送開始指令をＬＡＮ−ＩＦ３２で受信すると、必要な動作音や振動数等の収集データをデータ保管メモリ３４からＬＡＮ−ＩＦ３２を介して中央管理装置１へ送出する。
【００３１】
次に、図３は、各データ収集装置４の内部構成を示すブロック図である。データ収集装置４は、計測制御ＣＰＵ４１、電源回路４２、電池４３、無線ＩＦ４４、リアルタイマ４５、ＲＯＭ４６、ＲＡＭ４７、計測装置（マイク等）４８、計測装置（傾斜センサ）４９等から構成されている。
【００３２】
計測制御ＣＰＵ４１は、ＲＯＭ４６に保管された制御プログラムに従い動作を行う制御装置である。計測制御ＣＰＵ４１は、無線ＩＦ４４を介して中継装置３から送られてきたデータ収集開始指令や、「省電力指令」等の各種動作指令を受け動作する。
【００３３】
電源回路４２は、電池４３からの電力供給を受けてデータ収集装置４の各デバイスに電源を供給するための制御を行う回路である。
【００３４】
電池４３は、電力発生源であり、データ収集装置４の上記構成要素に所定時間電力提供した後、電力供給能力を失う有限の電力供給源である。ここで説明するデータ収集装置４は、プラント装置１００の有線ケーブルで電力を供給しにくい稼働部分（例えば、踏み段等）に設置されるものとするが、それ以外のデータ収集装置に適用しても構わない。
【００３５】
無線ＩＦ４４は、収集したプラント装置１００の動作音や振動数等のデータを対応する中継装置３の無線ＩＦ３７に無線送信するための無線デバイスである。各データ収集装置４は、プラント装置１００の可動部分にも設置されるため、収集したデータを無線で送信することが望ましいため無線通信を利用することとする。
【００３６】
リアルタイマ４５は、計測制御ＣＰＵ４１の起動時刻等を設定するタイマモジュールである。当該リアルタイマ４５を用いることで、時刻を正確にカウントすることが可能となり、精度よくデータの収集を開始することができる。
【００３７】
ＲＯＭ４６は、計測制御ＣＰＵ４１が実行する制御プログラム等を記憶する。ＲＡＭ４７は、ＲＯＭ４６から読み出された制御プログラム等をロードして一時記憶領域として用いるメモリデバイスである。
【００３８】
計測部（マイク等）４８は、プラント装置１００の動作音を収集する集音デバイスである。この計測部（マイク等）４８は、マイクに集音した動作音データの出力を行うインターフェースが接続されたデバイスであり、プラント装置１００の可動部分および固定部分の各々に設けられる。また、計測部４８は、振動数を計測するセンサであってもよく、マイクとセンサの両方を備えるものであってもよい。
【００３９】
計測部（傾斜センサ）４９は、計測部（マイク）４８が設置された場所の傾斜を検出する傾きセンサである。プラント装置１００の可動部分に計測部（マイク等）４８が設置された場合、計測部（マイク等）４８の傾きを検出することができる。
【００４０】
次に、図３を用いてデータ収集装置４の動作例を示す。
【００４１】
計測制御ＣＰＵ４１は、ＲＯＭ４６に記憶された制御プログラムに基づいて動作を行う。計測制御ＣＰＵ４１は、対応する中継装置３から無線ＩＦ（インターフェース）４４を介して受信した動作指令を受け動作を行う。例えば、電力の使用を制限させる動作指示である「省電力指令」を受信した場合、電池４３からの電力を各構成要素に供給する電源回路４２に対し「省電力指令」を送信する。
【００４２】
電源回路４２は、「省電力指令」を受けると計測部（マイク等）４８、計測部（傾斜センサ）４９等への電力供給を次のデータ収集開始指令を受けるまで休止させる。この際、同時に計測制御ＣＰＵ４１も電力低減出力モード（省電力モード）に入っても良い。この電源回路４２が省電力動作モードとなった際、リアルタイマ４５から直接電源回路４２への復帰指令を送る手段を備えるものとする。また、無線ＩＦ４４についても、収集開始動作の受信機能だけを残して省電力化を図っても良い。その後、データ収集装置４が次のデータ収集開始指令を無線ＩＦ４４を経由して中継装置３から受けた場合は、計測制御ＣＰＵ４１は電源回路４２に各部への電力供給指令を送信し、これにより計測部４８，４９等は、動作音や振動数や傾斜測定等のデータの収集を再開する。
【００４３】
また、計測制御ＣＰＵ４１は、無線ＩＦ４４から「省電力指令」を受信した場合は、省電力モードに移行しているか否かに関わらず、その都度、省電力指令動作を行う。
【００４４】
中継装置３が定期的に、データ収集開始指令を送る理由としては、データ収集装置４を長時間省電力モードとすることが機能上難しく、一定時間ごとに信号を受信させる等の動作をさせる必要があるためである。
【００４５】
計測制御ＣＰＵ４１は、動作音や振動数や傾斜測定等のデータ収集動作時、計測部（マイク等）４８，４９等から取得したデータをＲＡＭ４７に一時的に記憶（保存）する。その後、動作音や振動数や傾斜測定等の収集データを無線ＩＦ４４を経由して対応する中継装置３に送る。
【００４６】
次に、本実施形態のデータ計測システム全体の動作について、図４のシーケンス図を参照して説明する。図４に示した中継装置３とデータ収集装置４は、図１の全ての中継装置３とデータ収集装置４を示すものである。
【００４７】
中央管理装置１は、データ収集開始指令等の指令情報をＬＡＮ２を通じ複数の中継装置３へ送信する。各中継装置３は、ＬＡＮ−ＩＦ３２で受信したデータ収集開始指令に基づき、無線ＩＦ３７よりそれぞれの管轄する各データ収集装置４に対しデータ収集開始指令を一斉に送信する（ステップＳ１０１）。各中継装置３は、管理する各データ収集装置４に対しデータ収集開始指令を一斉に送信することで、時刻同期の誤差を小さくすることができる。
【００４８】
各データ収集装置４の計測制御ＣＰＵ４１は、無線ＩＦ４４を介して中継装置３から送られてくるデータ収集開始指令を受け付ける（ステップＳ１０２）。
【００４９】
各データ収集装置４の計測制御ＣＰＵ４１は、計測部（マイク等）４８および計測部（傾斜センサ）４９において計測された動作音や振動数や傾斜測定等のデータを収集する。各データ収集装置４の計測制御ＣＰＵ４１は、収集したデータをＲＡＭ４７に一時記憶する（ステップＳ１０３）。各データ収集装置４の計測制御ＣＰＵ４１は、ＲＡＭ４７に記憶された動作音や振動数等のデータおよび傾斜角から得られる区切り符号を無線ＩＦ４４から、各中継装置３へ送信する。
【００５０】
各中継装置３のＣＰＵ３１は、無線ＩＦ３７を介して受け取った動作音や振動数や傾斜測定等のデータをデータ保管メモリ３４へ記憶する。また、同時に送られてくる区切り用符号を用いて、データ量が多すぎる等の必要があれば分割してデータ保管メモリ３４へ記憶する（ステップＳ１０４）。各中継装置３は、中央管理装置１へ収集完了通知を送信する。また、各中継装置３のＣＰＵ３１は、データ収集後、一定時間毎に「省電力指令」を各データ収集装置４へ送信する。
【００５１】
中央管理装置１のＣＰＵ１ａは、ＬＡＮ−ＩＦ１ｂを介して各中継装置３から収集完了通知を受け取ると、各中継装置３内のデータ保管メモリ３４に記憶されているデータを読み出すための転送開始指令を各中継装置３へ送出する（ステップＳ１０５）。
【００５２】
一方、データ収集装置４内の計測制御ＣＰＵ４１は、無線ＩＦ４４を介して各中継装置３から「省電力指令」を受け取ると、電源回路４２に対しデータ収集装置４内の省電力を実行させる「省電力指令」を送信する。電源回路４２は、その「省電力指令」を受けると、計測部（マイク等）４８、計測部（傾斜センサ）４９等への電力供給を次のデータ収集開始指令を受けるまで休止させる。この際、リアルタイマ４５から直接電源回路４２へ電力供給の復帰指令を送るようにして、同時に計測制御ＣＰＵ４１も電力低減出力モード（省電力モード）に入っても良い。このように、データ収集開始指令を受けるまでは動作音や振動数や傾斜測定等のデータ収集処理を停止することで、各部への電力供給を停止または低減し、電池４３の消耗を軽減する（ステップＳ１０６）。
【００５３】
各中継装置３内のＣＰＵ３１は、ステップＳ１０５において中央管理装置１から送信された転送開始指令を受信すると、データ保管メモリ３４から格納されたデータを取り出し、中央管理装置１へ送信する（ステップＳ１０７）。そして、中央管理装置１のＣＰＵ１ａは、動作音や振動数や傾斜測定等のデータを受け取ると、当該データを基に異常診断の判定処理等を行う。また中央管理装置１は、受信したデータや、異常診断の判定結果をデータベース１ｃに格納する。なお、各中継装置３内のＣＰＵ３１は、データ保管メモリ３４から格納されたデータを取り出した後にデータを消去することとしてもよい。その後、中央管理装置１からデータ収集開始指令が発せられて、上記した処理が繰返し実行されることとなる（ステップＳ１０１）。
【００５４】
以上、本実施形態を用いて、データ収集装置４を一定時間、省電力モードとすることで電力消費低減を実現し、電池交換サイクルの長期化が可能となる。即ち、中央管理装置１からデータ収集開始指令が発せられ、データを収集し、収集したデータを中継装置３へ送出する期間を除いて、データ収集装置４を電力消費低減状態である省電力モードとすることにより、電力消費を低減するシステムを構築することが可能となる。
【００５５】
（第２の実施形態）
次に、本発明の第２の実施形態について説明する。
【００５６】
本実施形態の第１の実施形態との違いは、各中継装置３内のＣＰＵ３１が「省電力指令」をデータ収集装置４に対して送信せず、データ収集装置４内の計測制御ＣＰＵ４１が定期的に省電力モードへ移行、省電力モードからの復帰、データ収集を行う点である。
【００５７】
よって、データ収集装置４のＲＯＭ４６にはデータ収集装置４内の各部を省電力モードへ移行させ、データ収集開始指令を受けると元に復帰させる動作を一定時間毎に行うプログラムが格納されている。
【００５８】
以下、本発明の第２の実施形態の動作について図５を参照しながら説明する。
【００５９】
図５は、本発明の第２の実施形態の動作を示すシーケンス図である。
【００６０】
中央管理装置１は、データ収集開始指令をＬＡＮ２を介して複数の中継装置３へ送信する（ステップＳ２０１）。
【００６１】
各中継装置３のＣＰＵ３１は、ＬＡＮ−ＩＦ３２でデータ収集開始指令を受け取ると、管理している各データ収集装置４へ無線通信により一斉にデータ収集開始指令を送信する。各データ収集装置４内の計測制御ＣＰＵ４１は、データ収集開始指令を無線ＩＦ４４を介して受け取ると、当該指令を受け付ける（ステップ２０２）
各データ収集装置４内の計測制御ＣＰＵ４１は、データ収集開始指令を受け取ると、収集開始応答信号を各中継装置３へ送信すると共に、リアルタイマ４５へタイマ始動指令を通知する。リアルタイマ４５は、タイマ始動指令を受けて時間を計測する。また計測制御ＣＰＵ４１は、電源回路４２に対し「省電力指令」を送信する。この際、リアルタイマ４５に電源回路の復帰指令を送る手段を備え、同時に計測制御ＣＰＵ４１も省電力モードにしても良い。電源回路４２は、「省電力指令」を受けると、計測部（マイク等）４８、計測部（傾斜センサ）４９等への電力供給を次のデータ収集開始指令を受けるまで休止させる。このように、動作音等のデータ収集処理を停止することで、各部への電力供給を停止または低減し、電池４３の消耗を軽減する。
【００６２】
各データ収集装置４内の計測制御ＣＰＵ４１は、省電力モード移行後、リアルタイマ４５から所定の時間経過後（例えば、１０分）に発せられ復帰指令を受けると、プラント装置１００内の動作音や振動数や傾斜測定等のデータ収集動作開始指令を計測部（マイク等）４８、計測部（傾斜センサ）４９等に通知する。例えば、計測部４８は、動作音や振動数等のデータを計測してその結果を出力する。各データ収集装置４内の計測制御ＣＰＵ４１は、計測部（マイク等）４８、計測部（傾斜センサ）４９等から収集したデータを、ＲＡＭ４７へ格納する。
【００６３】
各データ収集装置４内の計測制御ＣＰＵ４１は、ＲＡＭ４７へデータ格納後、計測部（マイク等）４８、計測部（傾斜センサ）４９等へ「省電力指令」を送信するとともに、リアルタイマ４５へ新たなタイマ始動指令（リセット）を通知する。リアルタイマ４５は新たなタイマ始動を開始し、以後同様に、各データ収集装置４では省電力モード、データ収集動作を繰り返す（ステップＳ２０３）。
【００６４】
各中継装置３のＣＰＵ３１は、各データ収集装置４から収集開始応答を無線ＩＦ３７を介して受けると、その収集開始応答を中央管理装置１へ送信する。中央管理装置１のＣＰＵ１ａは、収集開始通知を受けると、収集データが中継装置３から送られてくるまで待機する（ステップＳ２０５）。
【００６５】
また、各中継装置３のＣＰＵ３１は、リアルタイマ３６へタイマ始動指令を通知する。そして、各中継装置３のＣＰＵ３１は、リアルタイマ３６が所定の時間（例えば、３０分）をカウントすると、収集終了指令およびデータ送信指令を各データ収集装置４へ送信する（ステップＳ２０４）。
【００６６】
なお、各中継装置３内のリアルタイマ３６において収集時間を管理する代わりに、中央管理装置１からデータ収集動作を終わらせる収集終了指令を発した場合に、当該収集終了指令を中継装置３が中継して、データ収集装置４からデータの取り出しを行う形式でもよい。
【００６７】
一方、各データ収集装置４内の計測制御ＣＰＵ４１は、収集終了指令およびデータ送信指令を受け取ると、データ収集または省電力モードを終了させ、収集開始指令から収集終了指令までの間に一時保存していた計測データをＲＡＭ４７から読み出し、当該データを各中継装置３内へ送信する。一度で送信しきれない場合は、計測データを何度かに分割して送信する（ステップＳ２０６）。
【００６８】
各中継装置３のＣＰＵ３１は、無線ＩＦ３７を介して動作音や振動数や傾斜測定等のデータ受け取ると、データ保管メモリ３４へそのデータを保管する。その後、各中継装置３のＣＰＵ３１は、中央管理装置１へデータの収集完了通知を送信する（ステップＳ２０７）。
【００６９】
中央管理装置１のＣＰＵ１ａは、各中継装置３から収集完了通知を受け取ると、データ転送開始指令を各中継装置３へ送信する（ステップＳ２０８）。
【００７０】
各中継装置３のＣＰＵ３１は、中央管理装置１からのデータ転送開始指令を受け取ると、データ保管メモリ３４からデータを読み出し、中央管理装置１へ送信する。中央管理装置１は、当該データから異常音の解析、受信データや解析データの保管、受信データ及び解析データの表示等を行う（ステップＳ２０９）。
【００７１】
以上、本実施形態を用いることにより、データ収集装置４内の電力消費低減を実現し、電池交換サイクルの長期化が可能となる。即ち、中央管理装置１からデータ収集指令が発せられ、該データを収集、各中継装置３へ送出する期間を除いて、電力消費低減状態である省電力モードとすることにより、電力消費を低減するシステムである。
【００７２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００７３】
１  …  中央管理装置
１ａ  …  ＣＰＵ
１ｂ  …  ＬＡＮ  ＩＦ
１ｃ  …  データベース
２  …  ＬＡＮ
３  …  複数の中継装置
３１  …  ＣＰＵ
３２  …  ＬＡＮ  ＩＦ
３３  …  プログラムＲＯＭ
３４  …  データ保管メモリ
３５  …  ワークＲＡＭ
３６  …  リアルタイマ
３７  …  無線ＩＦ
４  …  複数のデータ収集装置
４１  …  計測制御ＣＰＵ
４２  …  電源回路
４３  …  電池
４４  …  無線ＩＦ
４５  …  リアルタイマ
４６  …  ＲＯＭ
４７  …  ＲＡＭ
４８  …  計測部（マイク等）
４９  …  計測部（傾斜センサ）
【図１】
2011210200.tif 000003
【図２】
2011210200.tif 000004
【図３】
2011210200.tif 000005
【図４】
2011210200.tif 000006
【図５】
2011210200.tif 000007